(57)【要約】【課題】蓄電モジュールの内部に存在する電気抵抗を低減すること。【解決手段】蓄電モジュール１は、複数の電極をそれぞれ封止する複数の蓄電セル２１−１〜２１−ｎと、複数の蓄電セル２１−１〜２１−ｎを内部に収納する筐体２と、複数の蓄電セル２１−１〜２１−ｎにそれぞれ設けられる複数の正極セル端子と複数の負極セル端子とを備えている。複数の正極セル端子のうちの１つの正極セル端子３２の一部は、筐体２の外部に露出している。【選択図】図３
2017147048.tif 000002
【特許請求の範囲】
【請求項１】
複数の電極をそれぞれ封止する複数の蓄電セルと、
前記複数の蓄電セルを内部に収納する筐体と、
前記複数の電極にそれぞれ接合される複数のセル端子とを備え、
前記複数のセル端子のうちの１つのセル端子は、前記筐体の外部に露出される
蓄電モジュール。
【請求項２】
前記１つのセル端子は、前記筐体の外部に露出する部分にボルトの軸部が挿入される孔が形成され、前記ボルトがナットに締結されることにより外部配線に接合される
請求項１に記載の蓄電モジュール。
【請求項３】
前記筐体は、前記筐体に対して前記ナットが回転しないように前記ナットが嵌め込まれる穴が外側の表面に形成される
請求項２に記載の蓄電モジュール。
【請求項４】
前記１つのセル端子は、前記複数のセル端子のうちの前記１つのセル端子と異なる他のセル端子より長い
請求項１〜請求項３のいずれか一項に記載の蓄電モジュール。
【請求項５】
前記複数のセルにそれぞれ封止される複数の対極にそれぞれ接合される複数の対極セル端子をさらに備え、
前記複数の対極セル端子のうちの１つの対極セル端子は、前記筐体の外部に露出する
請求項１〜請求項４のいずれか一項に記載の蓄電モジュール。
【発明の詳細な説明】
【技術分野】
【０００１】
本発明は、蓄電モジュールに関する。
【背景技術】
【０００２】
単セルの蓄電セルは、電圧が低く、用途が限られる。このため、直列接続された複数の蓄電セルを備え、高い電圧を出力することができる蓄電モジュールが広く利用されている（たとえば、特許文献１、２参照）。
【先行技術文献】
【特許文献】
【０００３】
【特許文献１】特開２０１０−１６１０４４号公報
【特許文献２】特開２０１５−２２６４号公報
【発明の概要】
【発明が解決しようとする課題】
【０００４】
このような蓄電モジュールは、感電防止等の観点から、複数の蓄電セルが直列接続されたセルスタックが樹脂筐体で囲まれている。このような蓄電モジュールは、外部配線に接続される外部端子がその樹脂筐体に固定され、複数の蓄電セルの両端のセル端子がその外部端子にねじ接続等で接続されている。このような蓄電モジュールは、外部端子と蓄電セルのセル端子との間に接触抵抗が発生し、蓄電モジュールの内部に存在する電気抵抗が大きくなってしまう。
【０００５】
開示の技術は、かかる点に鑑みてなされたものであって、内部に存在する電気抵抗が小さい蓄電モジュールを提供することを目的とする。
【課題を解決するための手段】
【０００６】
開示の態様では、蓄電モジュールは、複数の電極をそれぞれ封止する複数の蓄電セルと、その複数の蓄電セルを内部に収納する筐体と、その複数の電極にそれぞれ接合される複数のセル端子とを備えている。その複数のセル端子のうちの１つのセル端子は、一部がその筐体の外部に露出されている。
【発明の効果】
【０００７】
開示の蓄電モジュールは、内部に存在する電気抵抗を低減することができる。
【図面の簡単な説明】
【０００８】
【図１】図１は、実施形態の蓄電モジュールを示す部分断面図である。
【図２】図２は、フタ部を示す上面図である。
【図３】図３は、フタ部の正極用ボスを示す拡大断面図である。
【図４】図４は、セルスタックを示す上面図である。
【図５】図５は、セルスタックを示す斜視図である。
【図６】図６は、セルスタックを示す正面図である。
【図７】図７は、蓄電セルを示す三面図である。
【図８】図８は、蓄電セルを示す斜視図である。
【図９】図９は、フタ部とセルスタックとを示す側面図である。
【図１０】図１０は、比較例の蓄電モジュールを示す部分断面図である。
【図１１】図１１は、比較例の蓄電モジュールを示す上面図である。
【発明を実施するための形態】
【０００９】
以下に、本願が開示する実施形態にかかる蓄電モジュールについて、図面を参照して説明する。なお、以下の記載により本発明が限定されるものではない。また、以下の記載においては、同一の構成要素に同一の符号を付与し、重複する説明を省略する。
【００１０】
［実施形態］
＜蓄電モジュールの構造＞
図１は、蓄電モジュールを示す断面図である。実施形態にかかる蓄電モジュール１は、図１に示されているように、筐体２がセルスタック３とともに設けられている。筐体２は、本体部５とフタ部６とを備えている。本体部５は、樹脂に例示される絶縁体から形成されている。本体部５は、箱型に形成され、開口部が形成されている。フタ部６は、樹脂に例示される絶縁体から形成され、本体部５の開口部に合致するように形成されている。これらの樹脂としては、ポリプロピレンＰＰが例示される。筐体２は、フタ部６が本体部５の開口部を塞ぐことにより、内部を外部から隔離する。フタ部６は、正極用ボス１１と負極用ボス１２とが形成されている。
【００１１】
図２は、フタ部６を示す上面図である。正極用ボス１１は、概ね直方体状に形成され、筐体２の外側の表面から突出するように形成されている。負極用ボス１２は、正極用ボス１１の形状と合同である形状に形成され、概ね直方体状に形成されている。負極用ボス１２は、筐体２の外側の表面から突出するように形成され、正極用ボス１１と並んで配置されている。
【００１２】
フタ部６は、正極用スリット１４と負極用スリット１５とがさらに形成されている。正極用スリット１４は、正極用ボス１１の縁に形成され、フタ部６を貫通し、筐体２の内部と外部とを繋げている。正極用スリット１４には、正極セル端子３２が通されている。正極セル端子３２は、正極用スリット１４に通されることにより、一部が筐体２の内部に配置され、他の一部が筐体２の外部に露出している。正極セル端子３２は、筐体２の外部に露出している一部に孔４１が形成されている。
【００１３】
負極用スリット１５は、負極用ボス１２の縁に形成され、フタ部６を貫通し、筐体２の内部と外部とを繋げている。負極用スリット１５には、負極セル端子３３が通されている。負極セル端子３３は、負極用スリット１５に通されることにより、一部が筐体２の内部に配置され、他の一部が筐体２の外部に露出している。負極セル端子３３は、筐体２の外部に露出している一部に孔４２が形成されている。
【００１４】
フタ部６は、さらに、正極用ナット嵌合穴１６と負極用ナット嵌合穴１７とが形成されている。正極用ナット嵌合穴１６は、正極用ボス１１の概ね中央に形成され、六角柱状に形成されている。負極用ナット嵌合穴１７は、負極用ボス１２の概ね中央に形成され、六角柱状に形成されている。
【００１５】
蓄電モジュール１は、さらに、正極用ナット１８と負極用ナット１９とを備えている。正極用ナット１８は、金属から形成され、六角柱状に形成され、中央に雌ねじが形成されている。負極用ナット１９は、正極用ナット１８と同様にして、金属から形成され、六角柱状に形成され、中央に雌ねじが形成されている。
【００１６】
図３は、フタ部６の正極用ボス１１を示す拡大断面図である。正極用ナット１８は、正極用ナット嵌合穴１６に嵌め込まれることにより、回転することができないように、フタ部６に支持されている。また、負極用ナット１９は、図示されていないが、正極用ナット１８と同様にして、負極用ナット嵌合穴１７に嵌め込まれることにより、回転することができないように、フタ部６に支持されている。
【００１７】
＜セルスタックの構造＞
図４〜図６は、セルスタック３を示している。図４は、セルスタック３を示す上面図である。図５は、セルスタック３を示す斜視図である。図６は、セルスタック３を示す正面図である。セルスタック３は、図４に示されているように、複数の蓄電セル２１−１〜２１−ｎ（ｎ＝１，２，３，…）と第１エンドプレート２２と第２エンドプレート２３と第１ブラケット２４と第２ブラケット２５と複数のねじ２６とを備えている。複数の蓄電セル２１−１〜２１−ｎは、それぞれ、概ね矩形状の板状に形成されている。複数の蓄電セル２１−１〜２１−ｎは、積層され、接着剤等を介して互いに接合されている。
【００１８】
このとき、複数の蓄電セル２１−１〜２１−ｎのうちの蓄電セル２１−１は、複数の蓄電セル２１−１〜２１−ｎの端に配置されている。複数の蓄電セル２１−１〜２１−ｎのうちの蓄電セル２１−ｎは、蓄電セル２１−１が配置される端の反対側の端に配置されている。複数の蓄電セル２１−１〜２１−ｎのうちの１つの蓄電セル２１−ｉは、蓄電セル２１−（ｉ−１）に隣り合い、蓄電セル２１−（ｉ＋１）に隣り合っている。蓄電セル２１−ｉは、正極セル端子３２と負極セル端子３３とを備えている。蓄電セル２１−ｉが備える正極セル端子３２は、蓄電セル２１−（ｉ−１）が備える負極セル端子３３に接合されている。蓄電セル２１−ｉが備える負極セル端子３３は、蓄電セル２１−（ｉ＋１）が備える正極セル端子３２に接合されている。
【００１９】
第１エンドプレート２２は、金属から形成され、概ね矩形状の板から形成されている。第１エンドプレート２２は、矩形のうちの対向する２つの縁に、その板の法線方向に突出する２つの枠部２７がそれぞれ形成されている。第１エンドプレート２２は、２つの枠部２７がそれぞれ形成されている縁の近傍に、図示されていない複数のねじ穴が形成されている。
【００２０】
第２エンドプレート２３は、第１エンドプレート２２と同様にして、金属から形成され、概ね矩形状の板から形成されている。第２エンドプレート２３は、矩形のうちの対向する２つの縁に、その板の法線方向に突出する２つの枠部２８がそれぞれ形成されている。
【００２１】
第１ブラケット２４は、金属から形成され、矩形状の板から形成されている。第１ブラケット２４は、さらに、矩形のうちの対向する２つの縁に、その板の法線方向に突出する２つの枠部３７がそれぞれ形成されている。第２ブラケット２５は、第１ブラケット２４と同様にして、金属から形成され、矩形状の板から形成されている。第２ブラケット２５は、さらに、矩形のうちの対向する２つの縁に、その板の法線方向に突出する２つの枠部３８がそれぞれ形成されている。
【００２２】
第１エンドプレート２２と第２エンドプレート２３とは、第１エンドプレート２２と第２エンドプレート２３との間に複数の蓄電セル２１−１〜２１−ｎが配置されるように、複数の蓄電セル２１−１〜２１−ｎとともに積層されている。第１ブラケット２４と第２ブラケット２５とは、複数の蓄電セル２１−１〜２１−ｎと垂直な平面に沿って配置され、第１ブラケット２４と第２ブラケット２５との間に複数の蓄電セル２１−１〜２１−ｎが挟まれるように、配置されている。
【００２３】
このとき、第１エンドプレート２２は、図５に示されているように、２つの枠部２７が複数の蓄電セル２１−１〜２１−ｎの側に突出するように、配置されている。第２エンドプレート２３は、２つの枠部２８が複数の蓄電セル２１−１〜２１−ｎの側に突出するように、配置されている。
【００２４】
第１ブラケット２４は、２つの枠部３７が複数の蓄電セル２１−１〜２１−ｎの側に突出するように、配置されている（図４参照）。第１ブラケット２４は、図６に示されているように、さらに、２つの枠部３７の一方が第２エンドプレート２３の外側の表面に沿うように、かつ、２つの枠部３７の他方が第１エンドプレート２２の内側の表面に沿うように、配置されている。
【００２５】
第２ブラケット２５は、第１ブラケット２４と同様にして、２つの枠部３８が複数の蓄電セル２１−１〜２１−ｎの側に突出するように、配置されている。第２ブラケット２５は、さらに、２つの枠部３８の一方が第２エンドプレート２３の外側の表面に沿うように、かつ、２つの枠部３８の他方が第１エンドプレート２２の内側の表面に沿うように、配置されている。
【００２６】
複数のねじ２６の一部は、軸が第１エンドプレート２２の孔に挿入され、第１ブラケット２４の２つの枠部３７の一方に締結されている。複数のねじ２６の残りは、軸が第１エンドプレート２２の孔に挿入され、第２ブラケット２５の２つの枠部３８の一方に締結されている（図４参照）。セルスタック３は、複数のねじ２６がこのように締結されることにより、複数の蓄電セル２１−１〜２１−ｎを第１エンドプレート２２と第２エンドプレート２３との間に挟み込み、互いに動かないように固定されている。
【００２７】
＜蓄電セルの構造＞
図７は、蓄電セルを示す三面図である。図８は、蓄電セルを示す斜視図である。複数の蓄電セル２１−１〜２１−ｎの各蓄電セル２１−ｉは、いわゆるリチウムイオンキャパシタであり、図７に示されているように、容器３１と正極セル端子３２と負極セル端子３３とを備えている。容器３１は、アルミ箔が樹脂フィルムでラミネートされたアルミラミネートフィルム材から形成されている。容器３１は、２枚のアルミラミネートフィルム材の間に、図示されていない電極積層体と電解液とを封止し、電極積層体と電解液とを外部から隔離している。容器３１は、電極積層体と電解液とをこのように封止しているために、図８に示されているように、中央付近が電極積層体の形状に隆起した形状に形成されている。
【００２８】
電極積層体は、複数の正極電極と複数の負極電極と複数のセパレータとを備えている。その正極電極は、正極と正極集電体とを備えている。その正極は、リチウムイオンを可逆的に担持可能な材料から形成されている。その正極集電体は、アルミニウムＡｌに例示される金属から形成され、板状に形成されている。その正極電極は、正極集電体が正極で被覆されることにより形成されている。その負極電極は、負極と負極集電体とを備えている。その負極は、リチウムイオンを可逆的に担持可能な材料から形成されている。その負極集電体は、銅Ｃｕに例示される金属から形成され、板状に形成されている。その負極電極は、負極集電体が負極で被覆されることにより形成されている。セパレータは、樹脂に例示される絶縁体から形成され、フィルム状に形成されている。電極積層体は、正極電極と負極電極とが電気的に絶縁されるように、正極電極と負極電極との間にセパレータが配置され、複数の正極電極と複数の負極電極と複数のセパレータとが積層されている。
【００２９】
正極セル端子３２は、アルミニウムＡｌに例示される金属から形成され、帯状に形成されている。正極セル端子３２は、一端が容器３１の内部に配置され、他端が容器３１の外部に配置されている。正極セル端子３２は、負極電極に電気的に絶縁され、容器３１の内部に配置されている一端が正極集電体に接合されている。負極セル端子３３は、銅Ｃｕに例示される金属から形成され、帯状に形成されている。負極セル端子３３は、一端が容器３１の内部に配置され、他端が容器３１の外部に配置されている。負極セル端子３３は、正極電極に電気的に絶縁され、容器３１の内部に配置されている一端が負極集電体に接合されている。すなわち、蓄電モジュール１は、複数の蓄電セル２１−１〜２１−ｎがそれぞれ備える複数の正極セル端子と複数の負極セル端子とを備えている。
【００３０】
このとき、蓄電セル２１−ｉの正極セル端子３２は、蓄電セル２１−ｉに隣り合う蓄電セル２１−（ｉ−１）の負極セル端子３３に溶接されて、蓄電セル２１−（ｉ−１）の負極セル端子３３に電気的に接続されている（図４参照）。蓄電セル２１−ｉの負極セル端子３３は、蓄電セル２１−ｉに隣り合う蓄電セル２１−（ｉ＋１）の正極セル端子３２に溶接されて、蓄電セル２１−（ｉ＋１）の正極セル端子３２に電気的に接続されている。すなわち、複数の蓄電セル２１−１〜２１−ｎは、直列接続されている。
【００３１】
さらに、蓄電セル２１−１の正極セル端子３２は、他の蓄電セル２１−ｉの正極セル端子３２より長さが長くなるように形成されている。蓄電セル２１−１の正極セル端子３２は、正極用スリット１４に通され、一部が筐体２の外部に露出している（図２参照）。蓄電セル２１−１の正極セル端子３２のうちの筐体２の外部に露出する一部は、孔４１が形成されている。孔４１は、長丸形状に形成されている。蓄電セル２１−１の正極セル端子３２は、さらに、正極用ナット１８を覆うように、かつ、孔４１が正極用ナット１８の雌ねじに重なるように、屈曲されている。蓄電セル２１−ｎの負極セル端子３３は、他の蓄電セル２１−ｉの負極セル端子３３より長さが長くなるように形成されている。蓄電セル２１−ｎの負極セル端子３３は、負極用スリット１５に通され、一部が筐体２の外部に露出している。蓄電セル２１−ｎの負極セル端子３３のうちの筐体２の外部に露出する一部は、孔４２が形成されている。孔４２は、長丸形状に形成されている。蓄電セル２１−ｎの負極セル端子３３は、さらに、負極用ナット１９を覆うように、かつ、孔４２が負極用ナット１９の雌ねじに重なるように、屈曲されている。
【００３２】
＜蓄電モジュールの製造方法＞
蓄電モジュール１を製造するときに、作業者は、まず、筐体２とセルスタック３とを準備し、正極用ナット１８と負極用ナット１９とを準備する。作業者は、筐体２とセルスタック３とを準備した後に、セルスタック３を本体部５の内部に挿入する。作業者は、さらに、蓄電セル２１−１の正極セル端子３２をフタ部６の正極用スリット１４に通し、蓄電セル２１−ｎの負極セル端子３３をフタ部６の負極用スリット１５に通す。作業者は、蓄電セル２１−１の正極セル端子３２と蓄電セル２１−ｎの負極セル端子３３とが正極用スリット１４と負極用スリット１５とにそれぞれ通された後に、本体部５の開口部をフタ部６で塞ぐ。作業者は、さらに、正極用ナット１８を正極用ナット嵌合穴１６に嵌め込み、負極用ナット１９を負極用ナット嵌合穴１７に嵌め込む。
【００３３】
図９は、フタ部とセルスタックとを示す側面図である。図９は、詳細には、蓄電セル２１−１の正極セル端子３２が正極用スリット１４に通された後のフタ部６とセルスタック３とを示している。また、蓄電セル２１−ｎの負極セル端子３３に関しても、図示されていないが、負極用スリット１５に通されている。作業者は、蓄電セル２１−１の正極セル端子３２が正極用ナット１８を覆うように、かつ、蓄電セル２１−１の正極セル端子３２の孔４１が正極用ナット１８のねじ孔に繋がるように、蓄電セル２１−１の正極セル端子３２を屈曲させる。作業者は、さらに、蓄電セル２１−ｎの負極セル端子３３が負極用ナット１９を覆うように、かつ、蓄電セル２１−ｎの負極セル端子３３の孔４２が負極用ナット１９のねじ孔に繋がるように、蓄電セル２１−ｎの負極セル端子３３を屈曲させる。
【００３４】
蓄電モジュール１は、図示されていない正極バスバーと負極バスバーと正極用ボルトと負極用ボルトとともに利用される。正極バスバーは、金属に例示される導体から形成され、帯状に形成されている。正極バスバーは、さらに、孔が形成されている。蓄電セル２１−１の正極セル端子３２は、正極用ボルトがその孔と蓄電セル２１−１の正極セル端子３２の孔４１とに挿入され、正極用ナット１８に締結されることにより、正極バスバーに接触する。負極バスバーは、金属に例示される導体から形成され、帯状に形成されている。負極バスバーは、さらに、孔が形成されている。蓄電セル２１−ｎの負極セル端子３３は、負極用ボルトがその孔と蓄電セル２１−ｎの負極セル端子３３の孔４２とに挿入され、負極用ナット１９に締結されることにより、負極バスバーに接触する。蓄電モジュール１は、蓄電セル２１−１の正極セル端子３２に直接に接合された正極バスバーと蓄電セル２１−ｎの負極セル端子３３に直接に接合された負極バスバーとを介して、外部機器に電力を供給する。
【００３５】
すなわち、蓄電モジュール１は、蓄電セル２１−１の正極セル端子３２の一部が筐体２の外部に露出されていることにより、蓄電セル２１−１の正極セル端子３２を正極バスバーに直接に接触させることができる。蓄電モジュール１は、さらに、蓄電セル２１−ｎの負極セル端子３３の一部が筐体２の外部に露出されていることにより、蓄電セル２１−ｎの負極セル端子３３を負極バスバーに直接に接触させることができる。
【００３６】
＜比較例の蓄電モジュールの構造＞
図１０は、比較例の蓄電モジュールを示す部分断面図である。図１１は、比較例の蓄電モジュールを示す上面図である。比較例の蓄電モジュール１０１は、図１０に示されているように、既述の蓄電モジュール１と同様にして、セルスタック３と筐体１０２と正極外部端子１２１と負極外部端子１２２とを備えている。筐体１０２は、本体部５とフタ部１０６とを備えている。フタ部１０６は、樹脂に例示される絶縁体から形成され、本体部５の開口部に合致するように形成されている。筐体１０２は、フタ部１０６が本体部５の開口部を塞ぐことにより、内部を外部から隔離する。フタ部１０６は、正極用ボス１１１と負極用ボス１１２と正極用スリット１１４と負極用スリット１１５とが形成されている。正極用スリット１１４は、正極用ボス１１１の縁に形成され、フタ部１０６を貫通し、筐体１０２の内部と外部とを繋げている。負極用スリット１１５は、負極用ボス１１２の縁に形成され、フタ部１０６を貫通し、筐体１０２の内部と外部とを繋げている。
【００３７】
正極外部端子１２１は、真鍮に例示される金属から形成され、屈曲した板状に形成され、厚さが正極セル端子３２の厚さより厚くなるように形成されている。正極外部端子１２１は、正極用スリット１１４に通され、一部が筐体１０２の内部に配置され、他の一部が筐体１０２の外部に配置されている。正極外部端子１２１のうちの筐体１０２の内部に配置されている一部は、ねじを介して、セルスタック３の蓄電セル２１−１の正極セル端子３２に接合されている。
【００３８】
負極外部端子１２２は、正極外部端子１２１と同様にして、真鍮に例示される金属から形成され、屈曲した板状に形成され、厚さが負極セル端子３３の厚さより厚くなるように形成されている。負極外部端子１２２は、負極用スリット１１５に通され、一部が筐体１０２の内部に配置され、他の一部が筐体１０２の外部に配置されている。負極外部端子１２２のうちの筐体１０２の内部に配置されている一部は、ねじを介して、セルスタック３の蓄電セル２１−ｎの負極セル端子３３に接合されている。
【００３９】
正極外部端子１２１は、図１１に示されているように、筐体１０２の外部に配置されている一部に雌ねじ１２３が形成されている。負極外部端子１２２は、筐体１０２の外部に配置されている一部に雌ねじ１２４が形成されている。
【００４０】
比較例の蓄電モジュール１０１は、図示されていない正極バスバーと負極バスバーと正極用ボルトと負極用ボルトとともに利用される。正極外部端子１２１は、正極用ボルトがその孔に挿入され、正極外部端子１２１の雌ねじ１２３に締結されることにより、正極バスバーに電気的に接続される。負極外部端子１２２は、負極用ボルトがその孔に挿入され、負極外部端子１２２の雌ねじ１２４に締結されることにより、負極バスバーに電気的に接続される。比較例の蓄電モジュール１０１は、このように正極バスバーと負極バスバーとを介して、外部機器に電力を供給する。
【００４１】
比較例の蓄電モジュール１０１は、正極外部端子１２１と蓄電セル２１−１の正極セル端子３２との間に接触抵抗が発生し、負極外部端子１２２と蓄電セル２１−ｎの負極セル端子３３との間に接触抵抗が発生する。このため、比較例の蓄電モジュール１０１は、蓄電セル２１−１の正極セル端子３２と正極バスバーとの間の電気抵抗が比較的大きくなり、蓄電セル２１−ｎの負極セル端子３３と負極バスバーとの間の電気抵抗が比較的大きくなってしまう。
【００４２】
＜蓄電モジュールの効果＞
このように蓄電モジュール１は、複数の蓄電セル２１−１〜２１−ｎと筐体２と複数の正極セル端子３２とを備え、複数の正極セル端子３２のうちの１つの蓄電セル２１−１の正極セル端子３２は、筐体２の外部に露出されている。蓄電モジュール１は、１つの正極セル端子３２が筐体２の外部に露出されていることにより、正極セル端子３２を直接に正極バスバーに接触させることができる。蓄電モジュール１は、正極セル端子３２を直接に正極バスバーに接触させることにより、比較例の蓄電モジュール１０１に比較して、接触抵抗が少なく、蓄電セル２１−１の正極セル端子３２と正極バスバーとの間の電気抵抗を低減することができる。蓄電モジュール１は、１つの正極セル端子３２が筐体２の外部に露出されていることにより、さらに、比較例の蓄電モジュール１０１の正極外部端子１２１を設ける必要がない。蓄電モジュール１は、正極外部端子１２１が設けられていないことにより、比較例の蓄電モジュール１０１に比較して、部品点数が少なく、製造コストを低減することができる。
【００４３】
また、筐体２の外部に露出される正極セル端子３２は、筐体２の外部に露出されている部分に正極用ボルトの軸部が挿入される孔４１が形成され、正極用ボルトが正極用ナット１８に締結されることにより正極バスバーに接合される。蓄電モジュール１は、正極セル端子３２に孔４１が形成されていることにより、ボルトとナットとを用いて正極バスバーに正極セル端子３２を容易に接合することができる。
【００４４】
また、筐体２は、筐体２に対して正極用ナット１８が回転しないように正極用ナット１８が嵌め込まれる正極用ナット嵌合穴１６が外側の表面に形成されている。このため、蓄電モジュール１は、正極用ナット１８が回転しないように筐体２に支持されていることにより、別途に正極用ナット１８を支持する必要がなく、ボルトを用いて正極バスバーに正極セル端子３２を容易に接合することができる。
【００４５】
また、筐体２の外部に露出する正極セル端子３２は、蓄電モジュール１が備える複数の正極セル端子３２のうちの筐体２の外部に露出しない他の正極セル端子３２より長い。このため、蓄電モジュール１は、正極セル端子３２の正極バスバーに接合される部分を十分に大きく確保することができ、正極バスバーに正極セル端子３２を容易に接合することができる。
【００４６】
また、蓄電モジュール１は、複数の蓄電セル２１−１〜２１−ｎにそれぞれ封止される複数の負極にそれぞれ接合される複数の負極セル端子３３をさらに備えている。複数の負極セル端子３３のうちの１つの蓄電セル２１−ｎの負極セル端子３３は、筐体２の外部に露出されている。このような蓄電モジュール１は、正極セル端子３２と負極セル端子３３との両方が正極バスバーと負極バスバーとにそれぞれ直接に接合されることができる。このため、蓄電モジュール１は、蓄電セル２１−１の正極セル端子３２と正極バスバーとの間の電気抵抗を低減することができ、かつ、蓄電セル２１−ｎの負極セル端子３３と負極バスバーとの間の電気抵抗を低減することができる。
【００４７】
ところで、既述の蓄電モジュール１は、正極セル端子３２と負極セル端子３３との両方が筐体２の外部に露出されているが、両方とも筐体２の外部に露出させる必要はない。すなわち、蓄電モジュール１は、正極セル端子３２または負極セル端子３３の一方のみを筐体２の外部に露出させることにより、内部に存在する電気抵抗を低減することができる。
【００４８】
既述の蓄電モジュール１は、正極セル端子３２に形成される孔４１が長丸形状に形成されているが、長丸形状と異なる他の形状に形成されてもよい。その形状としては、丸が例示される。蓄電モジュール１は、孔４１が長丸形状と異なる形状に形成されても、正極用ボルトの軸を孔４１に挿入させることにより、正極バスバーに正極セル端子３２を適切に直接に接触させることができる。蓄電モジュール１は、負極セル端子３３の孔４２が長丸形状と異なる他の形状に形成されても、同様にして、負極用ボルトの軸を孔４２に挿入させることにより、負極バスバーに負極セル端子３３を適切に直接に接触させることができる。
【００４９】
既述の蓄電モジュール１は、正極セル端子３２のうちの筐体２の外部に露出している部分に孔４１が形成されているが、孔４１が省略されてもよい。蓄電モジュール１は、正極セル端子３２から孔４１が省略されても、正極セル端子３２に正極バスバーを直接に接触させることにより、内部に存在する電気抵抗を低減することができる。蓄電モジュール１は、負極セル端子３３から孔４２が省略されても、同様にして、負極セル端子３３に負極バスバーを直接に接触させることにより、負極セル端子３３と負極バスバーとの間の電気抵抗を低減することができる。
【００５０】
既述の蓄電モジュール１は、正極用ナット１８が六角柱状に形成されているが、六角柱と異なる他の多角柱状に形成されてもよい。蓄電モジュール１は、正極用ナット１８が六角柱と異なる他の多角柱状に形成された場合でも、正極用ナット１８が回転しないように正極用ナット嵌合穴１６が形成されることにより、正極用ナット１８に正極用ボルトが適切に締結されることができる。蓄電モジュール１は、正極用ナット１８に正極用ボルトが適切に締結されることにより、正極セル端子３２に正極バスバーを適切に接合させることができ、内部に存在する電気抵抗を低減することができる。蓄電モジュール１は、負極用ナット１９が六角柱と異なる他の多角柱状に形成された場合でも、正極用ナット１８と同様にして、負極セル端子３３に負極バスバーを適切に接合させることができる。
【００５１】
既述の蓄電モジュール１は、筐体２に正極用ナット１８が嵌め込まれる正極用ナット嵌合穴１６が形成されているが、正極用ナット嵌合穴１６が省略されてもよい。蓄電モジュール１は、正極用ナット嵌合穴１６が省略されても、接着剤等を用いて正極用ナット１８が筐体２のフタ部６に固定されることにより、正極用ボルトを正極用ナット１８に締結することができる。さらに、蓄電モジュール１は、正極用ナット嵌合穴１６が省略されても、工具を用いて正極用ナット１８を別途に支持しながら、正極用ボルトを正極用ナット１８に締結することができる。このため、蓄電モジュール１は、正極用ナット嵌合穴１６が省略されても、正極バスバーに正極セル端子３２を適切に接合することができ、内部の電気抵抗を低減することができる。蓄電モジュール１は、負極用ナット嵌合穴１７が省略されても、同様にして、負極用ナット１９を別途に支持することにより、負極用ボルトを負極用ナット１９に締結することができる。
【００５２】
既述の蓄電モジュール１は、正極用ナット１８と正極用ボルトとを用いて正極セル端子３２を正極バスバーに接合しているが、正極用ナット１８と正極用ボルトとを用いないで、正極セル端子３２を正極バスバーに接合してもよい。蓄電モジュール１は、たとえば、正極セル端子３２を正極バスバーに溶接により接合した場合でも、内部の電気抵抗を低減することができる。蓄電モジュール１は、負極用ナット１９と負極用ボルトとを用いないでも、同様にして、負極セル端子３３を負極バスバーに適切に電気的に接続させることができ、内部の電気抵抗を低減することができる。
【００５３】
既述の蓄電モジュール１は、外部に露出する正極セル端子３２が外部に露出しない正極セル端子３２より長く形成されているが、外部に露出する正極セル端子３２の長さと外部に露出しない正極セル端子３２の長さとが等しくてもよい。蓄電モジュール１は、複数の正極セル端子３２の長さが互いに等しい場合でも、正極バスバーに正極セル端子３２を適切に接合することにより、内部の電気抵抗を低減することができる。蓄電モジュール１は、同様にして、外部に露出する負極セル端子３３の長さと外部に露出しない負極セル端子３３の長さとが等しくてもよい。蓄電モジュール１は、複数の負極セル端子３３の長さが互いに等しい場合でも、負極バスバーに負極セル端子３３を適切に接合することにより、内部の電気抵抗を低減することができる。
【００５４】
なお、蓄電モジュール１は、複数の蓄電セル２１−１〜２１−ｎが直列接続と異なる他のつなぎ方で接続されてもよい。そのつなぎ方としては、並列接続が例示される。蓄電モジュール１は、複数の蓄電セル２１−１〜２１−ｎが他のつなぎ方で接続された場合でも、正極セル端子３２を直接に正極バスバーに接触させることができ、負極セル端子３３を直接に負極バスバーに接触させることができる。
【００５５】
なお、蓄電モジュール１は、バスバーと異なる外部配線を介して外部機器に電力を供給してもよい。その外部配線としては、複数の電線がより合わされた撚り線が例示される。このとき、蓄電セル２１−１の正極セル端子３２は、正極用ボルトの頭部と正極用ナット１８との間に正極用撚り線と蓄電セル２１−１の正極セル端子３２とが挟まれるように、正極用ボルトが正極用ナット１８に締結される。蓄電セル２１−ｎの負極セル端子３３は、負極用ボルトの頭部と負極用ナット１９との間に負極用撚り線と蓄電セル２１−ｎの負極セル端子３３とが挟まれるように、負極用ボルトが負極用ナット１９に締結される。蓄電モジュール１は、バスバー以外の外部配線を介しても、外部機器に電力を適切に供給することができる。
【符号の説明】
【００５６】
１  ：蓄電モジュール
２  ：筐体
３  ：セルスタック
１６：正極用ナット嵌合穴
１７：負極用ナット嵌合穴
１８：正極用ナット
１９：負極用ナット
２１−１〜２１−ｎ：複数の蓄電セル
３１：容器
３２：正極セル端子
３３：負極セル端子
４１：孔
４２：孔
【図１】
2017147048.tif 000003
【図２】
2017147048.tif 000004
【図３】
2017147048.tif 000005
【図４】
2017147048.tif 000006
【図５】
2017147048.tif 000007
【図６】
2017147048.tif 000008
【図７】
2017147048.tif 000009
【図８】
2017147048.tif 000010
【図９】
2017147048.tif 000011
【図１０】
2017147048.tif 000012
【図１１】
2017147048.tif 000013